(57)【要約】      （修正有）【課題】実施が容易で安価であり、故障や誤動作も生じ難い、全館同時加圧による防排煙システムを提供する。【解決手段】最終避難場所である階段室、或いは避難出口の近傍位置に給気ファンを設置し、階段室や避難出口に連なる廊下、居室などは建物全体を閉鎖系のリング状又は網目状に連結して構成する。出火ゾーンには排煙口を開閉器により開閉自在に設け、排煙口の開閉器の開手段と給気ファンの始動手段とを連動させる。出火時には出火場所の排煙口の開閉器のみを開放し、給気ファンを始動してリング状又は網目状に連絡された廊下、居室などの建物全体を加圧防煙の状態とし、供給された空気は最終的に出火場所へ到達させて煙と共に排煙口から排出させ、避難者の避難方向と給気の流れ方向とは常に何処でも対向する関係にする。【選択図】  図１
2005049014.tif 000002
【特許請求の範囲】
【請求項１】
最終避難場所である階段室、或いは避難出口の近傍位置に少なくとも１台の給気ファンを設置し、前記階段室、避難出口に連なる廊下、居室などは建物全体を閉鎖系のリング状又は網目状に連結して構成し、これらの出火ゾーンには各々少なくとも１個の排煙口を開閉器により開閉自在に設け、前記排煙口の開閉器の開手段と前記給気ファンの始動手段とを連動させて成り、出火時には出火場所の排煙口のみを開放し、前記開閉器が開かれると、直ちに給気ファンが始動されリング状又は網目状に連絡された廊下、居室などの建物全体を加圧防煙の状態とし、供給された空気は最終的に出火場所へ到達させて煙と共に前記排煙口から排出させ、且つ避難者の避難方向と給気の流れ方向とは常に何処でも対向する関係にすることを特徴とする、全館同時加圧による防排煙システム。
【請求項２】
各室は開口によって他の少なくとも２室以上と接続して建物全体を閉鎖系のリング状又は網目状に連結していることを特徴とする、請求項１に記載した全館同時加圧による防排煙システム。
【発明の詳細な説明】
【技術分野】
【０００１】
この発明は、全館同時加圧による防排煙システムの技術分野に属し、更に言えば、最終避難場所である階段室や避難出口等へ給気し、更に非火災室へ給気することにより建物全館を同時加圧し、一方、前記階段室、避難出口に連なる廊下、居室などは建物全体を閉鎖系のリング状又は網目状に連結し、これらの出火ゾーンには各々少なくとも１個の排煙口を開閉器により開閉自在に設け、出火時には出火場所の排煙口のみを開放し、前記開閉器が開かれると、直ちに給気ファンを始動させて建物全体を加圧防煙の状態とし、供給された空気は最終的に出火場所へ到達させて煙と共に前記排煙口から排出させ、且つ避難者の避難方向と給気の流れ方向とは常に何処でも対向する関係にする、全館同時加圧による防排煙システムに関する。
【背景技術】
【０００２】
従来、建物の火災時における避難安全性能を確保する煙制御を大別すると、自然又は吸引式等の「排煙」と、防火・防煙区画や加圧給気等の差圧による防煙を含む「遮煙」の２種類がある。
差圧による「遮煙」制御の中で、加圧給気による遮煙は、非火災室に新鮮空気を給気することにより、火災室に対し非火災室を正圧にして煙の侵入を防ぐ方式であり、（Ａ）出火階の階段室附室に給気して正圧にする階段附室加圧給気型と、（Ｂ）階段や吹き抜け、エレベータシャフトなどの竪穴に給気して正圧にする竪穴給気型、（Ｃ）火災室の隣接室や隣接階へ給気して正圧にする非火災室加圧型、などがあり、これらの中から建物の用途やプランにより最適な型式が選択される。
【０００３】
例えば下記の特許文献１に開示された「階段加圧煙制御システム」は、上記（Ａ）に属する型式の遮煙制御を中高層マンションに実施するもので、階段室に給気ファンを取り付け、各居室に排気装置を取り付ける。室内温度センサー等の信号に基づいて前記給気ファンと排気装置を駆動制御する構成である。
特許文献２に開示された「内部竪穴空間加圧排煙システム」は、上記（Ｂ）に属する型式に属し、遮煙制御をアトリウム等の内部竪穴空間を有する建築物に実施するもので、内部竪穴空間に面する各階に、煙・熱検知手段と、排気手段、および加圧給気手段を配設する。前記の煙・熱検知手段の検出信号に基づいて、その階の排気手段のみを作動させ、且つ全ての階の加圧給気手段を作動させる構成である。
【０００４】
特許文献３〜６には、上記（Ｃ）に属する「遮煙」制御の型式が開示されている。例えば特許文献３には、附室ゾーンに給気ファンを設置し、附室ゾーンと廊下ゾーンとの間に感圧ダンパーを設置して成る加圧防煙システムが開示されている。
特許文献４には、吹き抜け内へ給気する空調用兼加圧排煙用ファンと、非火災階のみ開いて廊下への給気を行なわせるダンパーと、各居室に設置された排煙ダンパーなどからなり、火災発生時には空調用熱交換器を排気系から遮断し、空調用兼加圧排煙用ファンをフル駆動し、吹き抜けから非火災の廊下へ給気し、竪シャフトを通じて火災階の廊下を加圧する加圧防煙システムが開示されている。
特許文献５には、附室を加圧する加圧給気ファンと、附室から廊下へ加圧空気を導くガラリと、居室を排煙する排煙ファンとから成る排煙システムにおいて、廊下に差圧ダンパを設置し、廊下と外気の差圧を設定値に制御する加圧排煙システムが開示されている。
特許文献６には、多数の店舗からなる商業施設を複数のゾーンに区画する防火シャッターと、各ゾーンの煙を排除する排煙ファン、及び各ゾーンを独立して加圧する空調機のほか、屋内階段を加圧する加圧ファンを備え、火災発生時には、火災ゾーンの煙を排煙ファンで排除し、その他のゾーンを空調機で加圧し、屋内階段も加圧ファンで加圧する構成の防煙システムが開示されている。
【０００５】
【特許文献１】特開２００２−２１３７８７号公報
【特許文献２】特開２００１−１０４４９９号公報
【特許文献３】特許第３０１３６４３号公報
【特許文献４】特許第３２３２４９５号公報
【特許文献５】特許第３２４３７２８号公報
【特許文献６】特開２０００−３２０号公報
【発明の開示】
【発明が解決しようとする課題】
【０００６】
上記した従来の加圧空気による遮煙制御の技術は、いずれも附室或いは竪穴空間から廊下、居室の順に給気が流れることを前提とした構成であり、給気の流れには必ず火災発生場所（出火場所）に対して給気の上流側と下流側とが必ず生ずる。したがって、例えば廊下で出火した場合には、その出火場所より下流側の居室からは廊下を使って避難することはできないから、避難安全性能を確保することはできない。
【０００７】
本発明の目的は、火災発生時には、出火場所の排煙口の開閉器を開ける操作を行うだけで良く、そうすると最終避難場所付近の給気ファンが始動し、その加圧空気が建物各所の開口を通過して最終的には出火場所に到達し、煙と共に屋外に排出されるようにしたもので、前記の加圧空気は閉鎖系のリング状又は網目状に連結された廊下や居室等を回り回って出火場所へ少なくとも２方向から到達し、常に出火場所の排煙口を唯一の下流側とし、加圧空気が最終的に排煙口に向かって煙を押し出す結果となるので、煙が非火災室に拡散することは確実に防止でき、しかも加圧空気の上流側に避難経路を確保できるので、避難者は常に加圧空気の流れ方向とは反対方向（上流側）に向かって避難すれば良く、安全な避難方向選択の重要な情報を避難者に単純な内容で与える、全館同時加圧による防排煙システムを提供することである。
【０００８】
本発明の次の目的は、システムの主要な構成が、廊下、居室などの出火ゾーンに少なくとも１個の排煙口を開閉器により開閉自在に設け、一方、最終避難場所（非火災ゾーン）である階段室や避難出口の近傍位置に給気ファンを設置するだけの簡単な構成であり、火災時には出火場所の排煙口の開閉器のみを開ける操作を行うだけで良く、実施が容易で安価であり、故障や誤動作も生じ難い、全館同時加圧による防排煙システムを提供することである。
【課題を解決するための手段】
【０００９】
上述した従来技術の課題を解決するための手段として、請求項１に記載した発明に係る全館同時加圧による防排煙システムは、
最終避難場所である階段室１、或いは避難出口４の近傍位置に少なくとも１台の給気ファン２を設置し、前記階段室１や避難出口４に連なる廊下、居室Ａ〜Ｇなどは建物全体を閉鎖系のリング状又は網目状に連結して構成する。これらの出火ゾーンには各々少なくとも１個の排煙口３を開閉器により開閉自在に設け、前記排煙口３の開閉器の開手段と前記給気ファン２の始動手段とを連動させる。出火時には出火場所の排煙口３の開閉器のみを開放し、前記開閉器が開かれると、直ちに給気ファン２が始動されリング状又は網目状に連絡された廊下、居室Ａ〜Ｇなどの建物全体を加圧防煙の状態とし、供給された空気は最終的に出火場所へ到達させて煙と共に前記排煙口３から排出させ、且つ避難者の避難方向と給気の流れ方向とは常に何処でも対向する関係にすることを特徴とする。
【００１０】
請求項２記載の発明は、請求項１に記載した全館同時加圧による防排煙システムにおいて、
各室Ａ〜Ｇは開口ａ１，ａ２…ｆ１，ｆ２によって他の少なくとも２室以上と接続して建物全体を閉鎖系のリング状又は網目状に連結していることを特徴とする。
【発明の効果】
【００１１】
本発明の全館同時加圧による防排煙システムによれば、火災発生時には、出火場所の排煙口３の開閉器を開ける操作を行うだけで良い。そうすると最終避難場所付近の給気ファン２が始動するので、その加圧空気が閉鎖系に構成した建物各所の開口を通過して最終的には出火場所に到達し、その場所の排煙口３から煙と共に屋外に排出される。即ち、前記の加圧空気は閉鎖系のリング状又は網目状に連結された廊下や居室Ａ〜Ｇ等を回り回って出火場所へ少なくとも２方向から到達するので、これを建物全体で見ると、常に出火場所の開かれた排煙口３を唯一の下流側とし、加圧空気が最終的に同排煙口３に向かって流れ煙を排煙口３から外へ押し出す結果となる。よって、煙が非火災室に拡散することは確実に防止できる。しかも加圧空気の上流側を常に避難経路として確保できるので、避難者は常に加圧空気の流れ方向とは反対方向（上流側）に向かって避難すれば安全であり、空気の流れ方向を見て安全な避難方向を選択できる重要な情報を避難者に単純な内容で与えられる。
【００１２】
本発明の全館同時加圧による防排煙システムは、システムの構成が、廊下や居室Ａ〜Ｇなどの出火ゾーンに少なくとも１個の排煙口３を開閉器により開閉自在に設け、一方、最終避難場所（非火災ゾーン）である階段室１や避難出口の近傍位置に給気ファン２を設置するだけの簡単な構成である。そして、火災時には出火場所の排煙口３の開閉器のみを開ける操作を行うだけで良いから、実施が容易で安価であり、故障や誤動作も生じ難い。
【発明を実施するための最良の形態】
【００１３】
建物の各室Ａ〜Ｇを出入り口等の開口ａ１，ａ２…ｆ１，ｆ２により他の２室以上とリング状（サークルプラン）又は網目状などの繋がりを持つ配置で連結した、例えば順路を決められた水族館や博物館、美術館のような構成とし、一方、最終避難場所に給気ファン２を設置して給気を行う構成とし、更に前記の各室や廊下などの出火ゾーンには各々少なくとも１個の排煙口３を開閉器により開閉自在に設け、前記開閉器の開手段と給気ファン２の始動手段とを連動させた構成で実施する。
【実施例１】
【００１４】
図１は、本発明の全館同時加圧による防排煙システムが実施される網目状建物全体の構成を概念図として示す。そして、１階の室Ａが出火した場合の加圧空気の流れを黒塗り矢印Ｋで示し、避難者の避難方向を白抜き矢印Ｍで示している。
図示した建物は、居室Ａ〜Ｇが廊下や出入り口等の開口により全体として閉鎖系のリング状又は網目状に連結された構成の例を概念的に示している。図中の符号１が最終避難場所となる階段室を示しており、ここに給気ファン２が接続されている。図１の建物は、前記階段室１を中心として、各居室Ａ〜Ｇが閉鎖系のリング状又は網目状に連結された構成であることも示している。
【００１５】
図２〜図４は、図１に示した建物の具体的な建築プランの断面図を示している。図２は１階の平面図であり、出火した室Ａの排煙口３の開閉器は開放されている。この室Ａは出入り口開口ａ１により階段室１と連結され、開口ａ２で吹き抜けＢと連結されている。従って、室Ａには、前記二つの開口ａ１とａ２を通じて２方向から加圧空気が供給され、前記排煙口３が唯一の下流側となり、加圧空気が煙と共に建物外へ排出される。
他の各居室Ｂ〜Ｇもそれぞれ二つの開口ｃ１，ｃ２，…ｆ１，ｆ２で順次閉鎖的に連結されている。
したがって、階段室１へ給気ファン２で供給された加圧空気は、順路に沿って建物全体を回り回って流れ、全館加圧の実効をあらしめる。同時に上記出火室Ａに対しては、何処の場所も常に上流側となる関係である。よって、避難者は、前記空気の流れ（黒塗り矢印Ｋ）とは逆向き（白抜き矢印Ｍ）の方向へ移動すると、最終的に安全な階段室１へ逃れることができる。
【００１６】
図３は２階の平面図を示し、図４は図２及び図３のＸ−Ｘ線矢視の断面図を示している。図４によれば、１階の出火室Ａに対しては、給気ファン２から供給された加圧空気が、直前の開口ａ１から送り込まれるほか、２階のＥ室及び吹き抜けＢを経由して反対側の開口ａ２へ到達した空気が２方向から送り込まれる。図中の符号Ｈは中庭の如き屋外を指すが、隔壁により建物館内とは完全に隔絶されている。
【００１７】
次に、図５は、図１と同じ建物における２階の室Ｇが出火した場合の加圧空気の流れを黒塗り矢印Ｋで示し、避難者の避難方向を白抜き矢印Ｍで示している。
図６〜図９は、図５に示した建物の建築プランの断面図における加圧空気の流れ（黒塗り矢印Ｋ）と、避難者の移動方向（白抜き矢印Ｍ）とを示している。図６は１階の平面図で、図７が２階の平面図を示している。出火した室Ｇの排煙口３の開閉器は開放されている。この室Ｇは出入り口開口ｇ１により階段室１と連結され、開口ｇ２で隣室Ｆと連結されている。この出火室Ｇには、前記二つの開口ｇ１とｇ２を通じて２方向から加圧空気が供給され、前記排煙口３が唯一の下流側となり、加圧空気が煙と共に排出される。隣室Ｆには階段室１から吹き抜けＢ及び開口ｆ１を経由して加圧空気が流入し、更に前記開口ｇ２に至る。つまり、図１の場合の出火室Ａにおける加圧空気の流れ方向が大きく変化したことが認められる（図８）。
避難者は、前記空気の流れ（黒塗り矢印Ｋ）とは逆向き（白抜き矢印Ｍ）の方向へ開口ｇ１及びｇ２を通じて移動すると、最終的に安全な階段室１へ逃れることができる。
【実施例２】
【００１８】
次に、図１０と図１１は、本発明の全館同時加圧による防排煙システムが実施される、例えば人が移動する順路を決められた水族館や博物館、美術館の如きリング状建物全体の構成を概念図として示す。そして、図１０は、廊下などで順に繋がった複数の室の中の一の室ａが出火した場合の加圧空気の流れを矢印ｎで示し、避難者の避難方向を点線矢印ｍで示している。
同様に、図１１は、同じリング状建物の室ｇが出火した場合の加圧空気の流れを矢印ｎで示し、避難者の避難方向を点線矢印ｍで示している。
何れの場合にも、加圧空気は、最終の避難出口４の室１と接続した給気ファン２で供給されるが、室１へ供給された空気は、先ずは２方向に分れてリングの両端から中央へと進むことになる。そのため図１０と図１１では、加圧空気の流れ方向ｎと、避難者の避難方向ｍとは、出火場所は異なっても同じ方向へ進むことを理解されるであろう。
【００１９】
図１０の場合には出火室ａの排煙口３の開閉器が開かれ、同室ａには二つの開口を通じて２方向から加圧空気が流入し（ｎ及びｎ）、同室ａの排煙口３から空気と共に建物外へ排出されるので、避難者は前記二つの開口に繋がる通路を風上方向へ避難すると、最終の避難出口４へ辿り着ける。図１１の場合には、出火室ｇの排煙口３の開閉器が開かれ、同室ｇにも二つの開口を通じて２方向から加圧空気が流入し（ｎ及びｎ）、その排煙口３から空気と共に排出されるので、避難者はやはり前記二つの開口に繋がる通路を風上方向へ避難すると、最終の避難出口４へ辿り着けるのであり、煙によって行く手を遮られる不幸は発生しない。
【００２０】
なお、上記の各実施例で説明した排煙口３の開閉器は、具体的には手動などで開閉されるシャッターやダンパーなどを意味する。
【産業上の利用可能性】
【００２１】
本発明は、上記水族館や博物館、美術館の如きリング状で閉鎖系の建物の全館同時加圧による防排煙システムとして、或いは迷路の如くに多くの室が廊下などによって閉鎖的に連結された網目状建物の全館同時加圧による防排煙システムとして実施することができ、避難者の避難ルートを明解にして安全性の確保に寄与する。しかも給気ファンは極めて少ない数量で実施できるし、出火の対策は単に排煙口の開閉器を開けるだけで良く、至極簡単である。
【図面の簡単な説明】
【００２２】
【図１】本発明に係る全館同時加圧による防排煙システムを実施する網目状建物を示した概念図である。
【図２】前記建物の１階の平面図である。
【図３】前記建物の２階の平面図である。
【図４】図２又は図３のＸ−Ｘ線矢視断面図である。
【図５】図１の網目状建物の出火場所が異なった場合の概念図である。
【図６】前記建物の１階の平面図である。
【図７】前記建物の２階の平面図である。
【図８】図６又は図７のＸ−Ｘ線矢視断面図である。
【図９】図７のＹ−Ｙ線矢視断面図である。
【図１０】本発明に係る全館同時加圧による防排煙システムを実施するリング状建物を示した概念図である。
【図１１】図１０のリング状建物の出火場所が異なった場合の概念図である。
【符号の説明】
【００２３】
１        階段室
４        避難出口
２        給気ファン
３        排煙口
【図１】
2005049014.tif 000003
【図２】
2005049014.tif 000004
【図３】
2005049014.tif 000005
【図４】
2005049014.tif 000006
【図５】
2005049014.tif 000007
【図６】
2005049014.tif 000008
【図７】
2005049014.tif 000009
【図８】
2005049014.tif 000010
【図９】
2005049014.tif 000011
【図１０】
2005049014.tif 000012
【図１１】
2005049014.tif 000013